(57)【要約】【課題】表示パネルアセンブリ及びこれを含む電子機器を提供する。【解決手段】表示領域及び非表示領域を含むウィンドウカバーと、ウィンドウカバーの背面で、表示領域に対応するように位置する表示パネルと、ウィンドウカバーの背面で、非表示領域に対応するように位置し、ウィンドウカバーを通じて入射した光を選択的に反射させてユーザにメタリックな色感を提供する誘電体ミラー層と、誘電体ミラー層を通過した光を吸収する光吸収層と、を備える表示パネルアセンブリである。【選択図】図１
2014056227.tif 000002
【特許請求の範囲】
【請求項１】
表示領域及び非表示領域を含むウィンドウカバーと、
前記ウィンドウカバーの背面で、前記表示領域に対応するように位置する表示パネルと、
前記ウィンドウカバーの背面で、前記非表示領域に対応するように位置し、前記ウィンドウカバーを通じて入射した光を選択的に反射させてユーザにメタリックな色感を提供する誘電体ミラー層と、
前記誘電体ミラー層を通過した光を吸収する光吸収層と、を備える表示パネルアセンブリ。
【請求項２】
前記誘電体ミラー層は、高屈折率層と低屈折率層とを交互に積層して形成されることを特徴とする請求項１に記載の表示パネルアセンブリ。
【請求項３】
前記誘電体ミラー層は、
前記ウィンドウカバーの背面上に位置する第１誘電体層と、
前記第１誘電体層上に位置する第２誘電体層と、
前記第２誘電体層上に位置する第３誘電体層と、を備えることを特徴とする請求項１または２に記載の表示パネルアセンブリ。
【請求項４】
前記第１誘電体層、前記第２誘電体層及び前記第３誘電体層の厚さは、異なることを特徴とする請求項３に記載の表示パネルアセンブリ。
【請求項５】
前記第１誘電体層及び前記第３誘電体層の屈折率は、前記第２誘電体層の屈折率より小さいことを特徴とする請求項３または４に記載の表示パネルアセンブリ。
【請求項６】
前記第１誘電体層及び前記第３誘電体層の屈折率は、前記第２誘電体層の屈折率より大きいことを特徴とする請求項３または４に記載の表示パネルアセンブリ。
【請求項７】
前記光吸収層は、黒色の印刷層であることを特徴とする請求項１〜６のいずれか一項に記載の表示パネルアセンブリ。
【請求項８】
前記誘電体ミラー層は、
二酸化チタン（ＴｉＯ２）を含む誘電体層と、
二酸化ケイ素（ＳｉＯ２）を含む誘電体層と、を備えることを特徴とする請求項１に記載の表示パネルアセンブリ。
【請求項９】
前記誘電体ミラー層は、凹凸面を含むことを特徴とする請求項１〜８のいずれか一項に記載の表示パネルアセンブリ。
【請求項１０】
前記ウィンドウカバーの背面と前記誘電体ミラー層との間に位置するモールディング層をさらに備え、
前記誘電体ミラー層に対向する前記モールディング層の表面は、凹凸面であることを特徴とする請求項１〜９のいずれか一項に記載の表示パネルアセンブリ。
【請求項１１】
表示領域及び前記表示領域の外周縁に形成される非表示領域を含むウィンドウカバーと、
前記ウィンドウカバーの背面で、前記表示領域に対応するように位置する有機発光表示パネルと、
前記ウィンドウカバーの背面で、前記非表示領域に対応するように位置し、複数の誘電体層を備え、前記ウィンドウカバーを通じて入射した光のうち、補強干渉条件を満足する波長に対応する光を選択的に反射させる誘電体ミラー層と、
前記誘電体ミラー層上に位置し、前記誘電体ミラー層を通過した光を吸収する光吸収層と、を備える表示パネルアセンブリ。
【請求項１２】
前記誘電体ミラー層は、
第１誘電体層及び第２誘電体層を備え、
前記第１誘電体層及び前記第２誘電体層のうちいずれか一方は、相対的に高屈折率層であり、他方は、低屈折率層であることを特徴とする請求項１１に記載の表示パネルアセンブリ。
【請求項１３】
前記誘電体ミラー層は、
二酸化チタン（ＴｉＯ２）を含む誘電体層と、
二酸化ケイ素（ＳｉＯ２）を含む誘電体層と、を備えることを特徴とする請求項１１に記載の表示パネルアセンブリ。
【請求項１４】
前記ウィンドウカバーの背面と前記誘電体ミラー層との間に位置するモールディング層をさらに備え、
前記誘電体ミラー層に対向する前記モールディング層の表面は、凹凸面であることを特徴とする請求項１１〜１３のいずれか一項に記載の表示パネルアセンブリ。
【請求項１５】
少なくとも一面が開放されたハウジングと、
前記開放されたハウジングの一面を覆うように配される表示パネルアセンブリと、を備え、
前記表示パネルアセンブリは、
表示領域及び前記表示領域の外周縁に形成される非表示領域を含むウィンドウカバーと、
前記ウィンドウカバーの背面で、前記表示領域に対応するように位置する有機発光表示パネルと、
前記ウィンドウカバーの背面で、前記非表示領域に対応するように位置し、前記ウィンドウカバーを通じて入射した光を選択的に反射させてユーザにメタリックな色感を提供する誘電体ミラー層と、
前記誘電体ミラー層を通過した光を吸収する光吸収層と、を備える電子機器。
【請求項１６】
前記誘電体ミラー層は、
高屈折率の誘電体層と低屈折率の誘電体層とが交互に積層されることを特徴とする請求項１５に記載の電子機器。
【請求項１７】
前記誘電体ミラー層は、
前記ウィンドウカバーの背面上に位置する第１誘電体層と、
前記第１誘電体層上に位置する第２誘電体層と、
前記第２誘電体層上に位置する第３誘電体層と、を備え、
前記第１誘電体層及び前記第３誘電体層の屈折率は、前記第２誘電体層の屈折率より小さいか、または大きいことを特徴とする請求項１５に記載の電子機器。
【請求項１８】
前記光吸収層は、黒色の印刷層であることを特徴とする請求項１５〜１７のいずれか一項に記載の電子機器。
【請求項１９】
前記ウィンドウカバーの背面と前記誘電体ミラー層との間には、
接着物質によって、前記ウィンドウカバーの背面に付着されたフィルムと、
前記フィルムの背面に形成されたモールディング層と、をさらに備えることを特徴とする請求項１５〜１８のいずれか一項に記載の電子機器。
【請求項２０】
前記モールディング層のうち、前記誘電体ミラー層に対向する前記モールディング層の面は、凹凸面であり、
前記誘電体ミラー層は、前記モールディング層の凹凸面に対応して形成された凹凸面を備えることを特徴とする請求項１９に記載の電子機器。
【発明の詳細な説明】
【技術分野】
【０００１】
本発明は、表示パネルアセンブリ及びこれを含む電子機器に関する。
【背景技術】
【０００２】
携帯電話、タブレットコンピュータなどの電子機器の需要が増大するにつれて、多様な外形及び色相を有する電子機器への要求が増大している。
【０００３】
外形へのユーザの要求は、曲線及び直線を複合的に使って電子機器をデザインすることによって満足させ、色相へのユーザの要求は、電子機器の製作に使われる塗料の種類を多様化することによって満足させることができるが、色相だけではなく、質感まで提供する塗料の開発には限界がある。
【発明の概要】
【発明が解決しようとする課題】
【０００４】
本発明が解決しようとする課題は、メタリックな色感を提供できる表示パネルアセンブリ及びこれを含む電子機器を提供することである。
【課題を解決するための手段】
【０００５】
前記課題を達成するために、本発明の一側面によれば、表示領域及び非表示領域を含むウィンドウカバーと、前記ウィンドウカバーの背面で、前記表示領域に対応するように位置する表示パネルと、前記ウィンドウカバーの背面で、前記非表示領域に対応するように位置し、前記ウィンドウカバーを通じて入射した光を選択的に反射させてユーザにメタリックな色感を提供する誘電体ミラー層と、前記誘電体ミラー層を通過した光を吸収する光吸収層と、を備える表示パネルアセンブリを提供する。
【０００６】
本発明の一特徴によれば、前記誘電体ミラー層は、高屈折率層と低屈折率層とを交互に積層して形成される。
【０００７】
本発明のさらに他の特徴によれば、前記誘電体ミラー層は、前記ウィンドウカバーの背面上に位置する第１誘電体層と、前記第１誘電体層上に位置する第２誘電体層と、前記第２誘電体層上に位置する第３誘電体層と、を備える。
【０００８】
本発明のさらに他の特徴によれば、前記第１誘電体層、前記第２誘電体層及び前記第３誘電体層の厚さは、異なる。
【０００９】
本発明のさらに他の特徴によれば、前記第１誘電体層及び前記第３誘電体層の屈折率は、前記第２誘電体層の屈折率より小さい。
【００１０】
本発明のさらに他の特徴によれば、前記第１誘電体層及び前記第３誘電体層の屈折率は、前記第２誘電体層の屈折率より大きい。
【００１１】
本発明のさらに他の特徴によれば、前記光吸収層は、黒色の印刷層である。
【００１２】
本発明のさらに他の特徴によれば、前記誘電体ミラー層は、二酸化チタン（ＴｉＯ２）を含む誘電体層と、二酸化ケイ素（ＳｉＯ２）を含む誘電体層と、を備える。
【００１３】
発明のさらに他の特徴によれば、誘電体ミラー層は、凹凸面を備える。
【００１４】
本発明のさらに他の特徴によれば、前記ウィンドウカバーの背面と前記誘電体ミラー層との間に位置するモールディング層をさらに備え、前記誘電体ミラー層に対向する前記モールディング層の表面は、凹凸面である。
【００１５】
本発明のさらに他の側面によれば、表示領域及び前記表示領域の外周縁に形成される非表示領域を含むウィンドウカバーと、前記ウィンドウカバーの背面で、前記表示領域に対応するように位置する有機発光表示パネルと、前記ウィンドウカバーの背面で、前記非表示領域に対応するように位置し、複数の誘電体層を備え、前記ウィンドウカバーを通じて入射した光のうち補強干渉条件を満足する波長に対応する光を選択的に反射させる誘電体ミラー層と、前記誘電体ミラー層上に位置し、前記誘電体ミラー層を通過した光を吸収する光吸収層と、を備える表示パネルアセンブリを提供する。
【００１６】
本発明の一特徴によれば、前記誘電体ミラー層は、第１誘電体層及び第２誘電体層を備え、前記第１誘電体層及び前記第２誘電体層のうちいずれか一方は、相対的に高屈折率層であり、他方は、低屈折率層である。
【００１７】
本発明のさらに他の特徴によれば、前記誘電体ミラー層は、二酸化チタン（ＴｉＯ２）を含む誘電体層と、二酸化ケイ素（ＳｉＯ２）を含む誘電体層と、を備える。
【００１８】
本発明のさらに他の特徴によれば、前記ウィンドウカバーの背面と前記誘電体ミラー層との間に位置するモールディング層をさらに備え、前記誘電体ミラー層に対向する前記モールディング層の表面は、凹凸面である。
【００１９】
本発明のさらに他の側面によれば、少なくとも一面が開放されたハウジングと、前記開放されたハウジングの一面を覆うように配される表示パネルアセンブリと、を備え、前記表示パネルアセンブリは、表示領域及び前記表示領域の外周縁に形成される非表示領域を含むウィンドウカバーと、前記ウィンドウカバーの背面で、前記表示領域に対応するように位置する有機発光表示パネルと、前記ウィンドウカバーの背面で、前記非表示領域に対応するように位置し、前記ウィンドウカバーを通じて入射した光を選択的に反射させてユーザにメタリックな色感を提供する誘電体ミラー層と、前記誘電体ミラー層を通過した光を吸収する光吸収層と、を備える電子機器を提供する。
【００２０】
本発明の一特徴によれば、前記誘電体ミラー層は、高屈折率の誘電体層と低屈折率の誘電体層とが交互に積層される。
【００２１】
本発明のさらに他の特徴によれば、前記誘電体ミラー層は、前記ウィンドウカバーの背面上に位置する第１誘電体層と、前記第１誘電体層上に位置する第２誘電体層と、前記第２誘電体層上に位置する第３誘電体層と、を備え、前記第１誘電体層及び前記第３誘電体層の屈折率は、前記第２誘電体層の屈折率より小さいか、または大きい。
【００２２】
本発明のさらに他の特徴によれば、前記光吸収層は、黒色の印刷層である。
【００２３】
本発明のさらに他の特徴によれば、前記ウィンドウカバーの背面と前記誘電体ミラー層との間には、接着物質によって前記ウィンドウカバーの背面に付着されたフィルムと、前記フィルムの背面に形成されたモールディング層と、をさらに備える。
【００２４】
本発明のさらに他の特徴によれば、前記モールディング層のうち、前記誘電体ミラー層に対向する前記モールディング層の面は、凹凸面であり、前記誘電体ミラー層は、前記モールディング層の凹凸面に対応して形成された凹凸面を含む。
【発明の効果】
【００２５】
本発明によれば、ウィンドウカバーを通じて入射した光を選択的に反射させて、ユーザにメタリックな色感を提供できる表示パネルアセンブリ及び電子機器を提供することができる。
【図面の簡単な説明】
【００２６】
【図１】本発明の一実施形態による表示パネルアセンブリが装着された電子機器を概略的に示す斜視図である。
【図２】表示パネルアセンブリを概略的に示す分解斜視図である。
【図３】図２のＩＩＩ−ＩＩＩ線による断面図である。
【図４】本発明の一実施形態による表示パネルアセンブリの表示領域の一部分を示す拡大断面図である。
【図５】図３のＶを拡大して示したものであって、本発明の一実施形態による不透明層を拡大して示す断面図である。
【図６】不透明層に入射する光路を概略的に示す概念図である。
【図７】本発明のさらに他の実施形態による不透明層を拡大して示す断面図である。
【発明を実施するための形態】
【００２７】
本発明は、添付した図面と共に詳細に後述される実施形態を参照して明確にされる。しかし、本発明は、後述示する実施形態に限定されず、異なる多様な形態に具現されうる。本実施形態は、本発明の開示を完全にさせ、当業者に発明の範疇を完全に知らせるために提供され、本発明は、請求項の範疇によって定義される。一方、本明細書で使われる用語は、実施形態を説明するためのものであり、本発明を制限するものではない。本明細書で、単数型は、文言で特に述べない限り複数型も含む。明細書で使われる“含む（Ｃｏｍｐｒｉｓｅｓ）”及び／または“含むところの（Ｃｏｍｐｒｉｓｉｎｇ）”は、述べられた構成要素、ステップ、動作及び／または素子は、一つ以上の他の構成要素、ステップ、動作及び／または素子の存在または追加を排除しない。第１、第２などの用語は、多様な構成要素の説明に使われるが、構成要素は、用語によって限定されるものではない。用語は、一つの構成要素を他の構成要素から区別する目的で使われる。
【００２８】
図面では、複数の層、領域、膜を明確に表現するために、厚さを拡大して示した。層、膜の構成が他の構成“上に”あるというのは、他の構成の“すぐ上に”ある場合だけではなく、その中間に他の構成が備えられた場合も含む。一方、ある構成が他の構成の“すぐ上に”あるとは、その中間に他の構成が備えられない場合を表す。
【００２９】
図１は、本発明の一実施形態による表示パネルアセンブリ２０が装着された電子機器１を概略的に示した斜視図であり、図２は、表示パネルアセンブリ２０を概略的に示した分解斜視図であり、図３は、図２のＩＩＩ-−ＩＩＩ線による断面図である。
【００３０】
図１を参照すれば、電子機器１は、少なくとも一面が開放されたハウジング１０、及び表示パネルアセンブリ２０を備える。電子機器１は、携帯電話、タブレットコンピュータのように携帯用電子機器でもあるが、これに限定されない。
【００３１】
ハウジング１０は、少なくとも一面が開放された形状であり、ハウジング１０の開放された面は、表示パネルアセンブリ２０によって覆われる。ハウジング１０の内部には、電子機器１の駆動に必要な部品、例えば、バッテリー、外部基地局と通信するための端末装置が実装される。
【００３２】
図１ないし図３を参照すれば、表示パネルアセンブリ２０は、ウィンドウカバー１１０、それぞれのウィンドウカバー１１０の背面に配される表示パネル１２０及び不透明層１３０を備える。表示パネル１２０の背面には、表示パネル１２０を保護するためのカバー（またはベゼル）（図示せず）がさらに備えられる。
【００３３】
ウィンドウカバー１１０は、表示領域ＤＡと、表示領域ＤＡの外周縁に形成された非表示領域ＮＤＡとを含む。表示領域ＤＡに対応する位置には、表示パネル１２０が備えられ、不透明層１３０は、非表示領域ＮＤＡに対応する位置に備えられる。
【００３４】
また、ウィンドウカバー１１０は、透明な素材を含む。例えば、ウィンドウカバー１１０は、ガラス基板またはポリマー基板を含む。ポリマー基板としてはポリイミドを使うが、これに限定されない。
【００３５】
表示パネル１２０は、ウィンドウカバー１１０の表示領域ＤＡに対応する位置に配され、接着物質によってウィンドウカバー１１０の背面に付着される。表示パネル１２０は、例えば有機発光表示パネルである。
【００３６】
不透明層１３０は、ウィンドウカバー１１０の非表示領域ＮＤＡに対応する位置に配され、ウィンドウカバー１１０を通じて入射した光を選択的に反射させてユーザにメタリックな色感を提供できる。この機能のために、不透明層１３０は、誘電体ミラー層１３４（図５）を備える。不透明層１３０の具体的な構成は、図５ないし図７を参照して、当該部分で詳細に説明する。
【００３７】
図４は、本発明の一実施形態による表示パネルアセンブリ２０の表示領域ＤＡの一部分を抜粋して示した拡大断面図である。
【００３８】
図４を参照すれば、表示パネルアセンブリ２０の表示領域ＤＡは、ウィンドウカバー１１０の背面に配される表示パネル１２０を備え、表示パネル１２０は、接着物質１０５によってウィンドウカバー１１０の背面に付着される。表示パネル１２０は、第１基板２１０、第１基板２１０上に配された表示素子２２０、表示素子２２０上に形成された第２基板２５０、第２基板２５０上に形成された光学フィルム２６０を備える。
【００３９】
表示素子２２０は、第１基板２１０上に配された画素電極２４１、画素電極２４１上に配された対向電極２４３、画素電極２４１と対向電極２４３との間に介在される有機発光層２４２を備える有機発光素子２４０を備える。有機発光素子２４０は、電流の流れによって赤、緑、青色の光を発光して所定の画像情報を表示するものであって、素子／配線層２３０上に配される。
【００４０】
第１基板２１０は、耐熱性及び耐久性に優れた高分子を含む基板か、またはガラス基板である。第１基板２１０上に形成された素子／配線層２３０は、有機発光素子２４０を駆動させる駆動薄膜トランジスタ（ＴＦＴ：Ｔｈｉｎ  Ｆｉｌｍ  Ｔｒａｎｓｉｓｔｏｒ）、スイチング薄膜トランジスタ（図示せず）、保存キャパシタＣ１、薄膜トランジスタや保存キャパシタＣ１と連結される配線（図示せず）を含む。駆動薄膜トランジスタＴＦＴは、活性層２３１と、ゲート電極２３３と、ソース電極及びドレイン電極２３５ａ，２３５ｂと、を含む。
【００４１】
バリヤ膜２１３は、第１基板２１０と素子／配線層２３０との間に介在され、水気や酸素のような外部の異物が第１基板２１０を透過して有機発光素子２４０に浸透することを防止できる。
【００４２】
素子／配線層２３０上には、有機発光素子２４０が配される。有機発光素子２４０は、画素電極２４１と、画素電極２４１上に配された有機発光層２４２と、有機発光層２４２上に形成された対向電極２４３とを含む。
【００４３】
本実施形態では、画素電極２４１はアノード（ａｎｏｄｅ）であり、対向電極２４３はカソード（ｃａｔｈｏｄｅ）で構成されるが、本発明は、これに限定されず、有機発光表示装置の駆動方法によって、画素電極２４１がカソードであり、対向電極２４３がアノードでもある。画素電極２４１及び対向電極２４３からそれぞれ正孔及び電子が有機発光層２４２の内部に注入される。注入された正孔及び電子が結合したエキシトン（ｅｘｉｔｏｎ）が励起状態から基底状態に落ちる際に光が放出される。画素電極２４１は、素子／配線層２３０に形成された駆動薄膜トランジスタＴＦＴと電気的に連結される。
【００４４】
なお、本実施形態では、有機発光素子２４０が駆動薄膜トランジスタＴＦＴの配された素子／配線層２３０上に配された構造について記述しているが、本発明は、これに限定されず、有機発光素子２４０の画素電極２４１が、薄膜トランジスタＴＦＴの活性層２３１と同一層に形成された構造、または画素電極２４１が薄膜トランジスタＴＦＴのゲート電極２３３と同一層に形成された構造、または画素電極２４１がソース電極及びドレイン電極２３５ａ，２３５ｂと同一層に形成された構造など、多様な形態に変形可能である。また、本実施形態において、駆動薄膜トランジスタＴＦＴは、ゲート電極２３３が活性層２３１上に配されるが、本発明はこれに制限されず、ゲート電極２３３が活性層２３１の下部に配されることもある。
【００４５】
また、本実施形態の有機発光素子２４０に備えられた画素電極２４１は、反射電極でもあり、画素電極２４１に対向するように配された対向電極２４３は、透明または半透明電極でもある。したがって、対向電極２４３は、有機発光層２４２から放出された光を透過させることができる。
【００４６】
有機発光層２４２は、画素電極２４１と対向電極２４３との間に配され、低分子有機物または高分子有機物である。画素電極２４１と対向電極２４３との間には、有機発光層２４２以外に、ホール輸送層（ＨＴＬ：Ｈｏｌｅ  Ｔｒａｎｓｐｏｒｔ  Ｌａｙｅｒ）、ホール注入層（ＨＩＬ：Ｈｏｌｅ  Ｉｎｊｅｃｔｉｏｎ  Ｌａｙｅｒ）、電子輸送層（ＥＴＬ：Ｅｌｅｃｔｒｏｎ  Ｔｒａｎｓｐｏｒｔ  Ｌａｙｅｒ）及び電子注入層（ＥＩＬ：Ｅｌｅｃｔｒｏｎ  Ｉｎｊｅｃｔｉｏｎ  Ｌａｙｅｒ）のような中問層が選択的に配される。
【００４７】
第２基板２５０は、表示素子２２０をカバーする。第２基板２５０は、単一基板で形成されるか、または有機膜と無機膜とを交互に積層して形成されうる。
【００４８】
光学フィルム２６０は、第２基板２５０上に形成される。光学フィルム２６０は、位相遅延板及び偏光板のうち少なくともいずれか一つとして使われる。光学フィルム２６０は、外光反射を抑制して、表示パネル１２０の視認性及びコントラストを向上させることができる。
【００４９】
図５は、図３のＶの部分を拡大して示した図面であって、本発明の一実施形態による不透明層１３０を拡大して示した断面図である。
【００５０】
図５を参照すれば、不透明層１３０は、ウィンドウカバー１１０を通じて入射した光を選択的に反射させ、ユーザにメタリックな色感を提供する誘電体ミラー層１３４、及び誘電体ミラー層１３４上に形成された光吸収層１３５を備える。
【００５１】
一実施形態として、不透明層１３０は、フィルム１３２の背面上に誘電体ミラー層１３４及び光吸収層１３５を順次に形成することによって製作される。このように製作された不透明層１３０は、接着層１３１によってウィンドウカバー１１０の背面に付着される。
【００５２】
フィルム１３２は、ウィンドウカバー１１０を通じて入射する光が誘電体ミラー層１３４に入射するように、透明な素材を含む。例えば、フィルム１３２は、ポリエチレンエーテルフタレート、ポリエチレンナフタレート、ポリカーボネート、ポリアリレート、ポリエーテルイミド、ポリエーテルスルホン及びポリイミドで構成される。
【００５３】
なお、フィルム１３２は、ウィンドウカバー１１０の背面において、誘電体ミラー層１３４及び光吸収層１３５を配するための媒介体であって、工程によって省略されることもある。例えば、ウィンドウカバー１１０の背面上に、直接誘電体ミラー層１３４を形成し、誘電体ミラー層１３４上に、光吸収層１３５を形成すすることにより、フィルム１３２は省略されうる。
【００５４】
誘電体ミラー層１３４は、屈折率の異なる複数の誘電体層３４１，３４２，３４３（図６）を備える。例えば、誘電体ミラー層１３４は、ウィンドウカバー１１０の背面上に形成された第１誘電体層３４１、第１誘電体層３４１上に形成された第２誘電体層３４２、及び第２誘電体層３４２上に形成された第３誘電体層３４３を備える。
【００５５】
一実施形態として、第１誘電体層３４１及び第３誘電体層３４３の屈折率は、第２誘電体層３４２の屈折率より大きく形成される。すなわち、誘電体ミラー層１３４は、高屈折率の第１誘電体層３４１、低屈折率の第２誘電体層３４２、及び高屈折率の第３誘電体層３４３を備える。例えば、第１誘電体層３４１及び第３誘電体層３４３は、二酸化チタン（ＴｉＯ２）を含み、第２誘電体層３４２は、二酸化ケイ素（ＳｉＯ２）を含む。
【００５６】
他の実施形態においては、第１誘電体層３４１及び第３誘電体層３４３の屈折率が、第２誘電体層３４２の屈折率より小さく形成される。すなわち、誘電体ミラー層１３４は、低屈折率の第１誘電体層３４１、高屈折率の第２誘電体層３４２、及び低屈折率の第３誘電体層３４３を備える。例えば、第１誘電体層３４１及び第３誘電体層３４３は、二酸化ケイ素（ＳｉＯ２）を含み、第２誘電体層３４２は、二酸化チタン（ＴｉＯ２）を含む。なお、これら第１誘電体層３４１及び第３誘電体層３４３の屈折率は、相対的に大小差があればよく、特定の値に限定されるものではない。
【００５７】
前述したように、高屈折率層と低屈折率層とが交互に形成された誘電体ミラー層１３４を通じて、ユーザにメタリックな多様な色感を提供することができる。これは、複数の誘電体層３４１，３４２，３４３を含む誘電体ミラー層１３４が、それぞれの誘電体層３４１，３４２，３４３の境界面で反射される光の干渉に基づいて、メタリックな多様な色感を提供できるからである。
【００５８】
すなわち、ウィンドウカバー１１０を通じて入射した光の一部は、誘電体ミラー層１３４によって反射され、ユーザにメタリックな色感を提供し、誘電体ミラー層１３４で反射されない残りの光は、光吸収層１３５に吸収される。このために、光吸収層１３５は、例えば黒色の印刷層であり、スプレイ、スクリーンプリンティングのような方法を利用して、誘電体ミラー層１３４上に黒色の塗料を塗布することによって形成される。
【００５９】
図６は、不透明層１３０に入射する光路を概略的に示した概念図である。
【００６０】
図６を参照すれば、ウィンドウカバー１１０を通じて入射した光は、白色光であって、誘電体ミラー層１３４に入射する。具体的に、第１誘電体層３４１に向かって入射した光の一部は反射され、残りは屈折されて第２誘電体層３４２に入射する。第２誘電体層３４２に向かって入射した光の一部は反射され、残りは屈折されて第３誘電体層３４３に入射する。第３誘電体層３４３に入射した光の一部は反射され、残りは屈折されて光吸収層１３５に入射する。
【００６１】
光の反射は、各層の境界面で発生し、それぞれの境界面で反射された光は、誘電体ミラー層１３４の補強干渉条件を満足する波長に対応する光であり、反射された光は、ユーザにメタリックな色感を提供する。補強干渉条件を満足する波長は、相互に補強する可視光線帯域の波長であって、ユーザは、誘電体ミラー層１３４により補強された光の色感を認知する。一方、誘電体ミラー層１３４のそれぞれの境界面で反射されずに、誘電体ミラー層１３４を通過した光は、黒色の印刷層である光吸収層１３５に吸収される。
【００６２】
誘電体ミラー層１３４は、誘電体層の数及び厚さを変更することによって、メタリックな多様な色感をユーザに提供することができる。例えば、誘電体ミラー層１３４が、約５０Å厚のＴｉＯ２を含む第１誘電体層３４１、約３００Å厚のＳｉＯ２を含む第２誘電体層３４２、約３５０Å厚のＴｉＯ２を含む第３誘電体層３４３を含む場合、ユーザは、メタリックなブルー色を視認することができる。
【００６３】
他の実施形態として、誘電体ミラー層１３４が、約１００Å厚のＴｉＯ２を含む第１誘電体層３４１、約３００Å厚のＳｉＯ２を含む第２誘電体層３４２、約１０００Å厚のＴｉＯ２を含む第３誘電体層３４３を含む場合、ユーザは、メタリックなブラウン色を視認することができる。
【００６４】
さらに他の実施形態として、誘電体ミラー層１３４が、約２００Å厚のＴｉＯ２を含む第１誘電体層３４１、約４００Å厚のＳｉＯ２を含む第２誘電体層３４２、約１００Å厚のＴｉＯ２を含む第３誘電体層３４３を含む場合、ユーザは、メタリックなシルバーを視認することができる。
【００６５】
図７は、本発明のさらに他の実施形態による不透明層１３０’を拡大して示した断面図である。
【００６６】
図７を参照すれば、不透明層１３０’は、モールディング層１３３をさらに備える。モールディング層１３３は、透過率の高いウレタンアクリレート系の樹脂で形成され、モールディング層１３３の背面には、凹凸が形成される。モールディング層１３３は、フィルム１３２の背面上に塗布された後、紫外線（ＵＶ）によって硬化されることによって製造される。
【００６７】
ウィンドウカバー１１０と誘電体ミラー層１３４との間に、凹凸面を有するモールディング層１３３をさらに備えることによって、モールディング層１３３のすぐ上に形成される誘電体ミラー層１３４’も、凹凸面を有する。誘電体ミラー層１３４’の凹凸面は、誘電体層３４１’，３４２’，３４３’の境界面で反射される光を乱反射させる機能を行える。
【００６８】
図６を参照して説明したように、誘電体ミラー層１３４’に入射した光は、誘電体ミラー層１３４’を構成する複数の誘電体層３４１’，３４２’，３４３’の境界面で反射されることによって、ユーザにメタリックな色感を提供する。この時、複数の誘電体層３４１’，３４２’，３４３’の境界面が凹凸面を含むので、反射される光が複数の方向に乱反射される。凹凸面を通じた乱反射によって、ユーザにさらに強いメタル感を提供できる。
【００６９】
前述したように、誘電体ミラー層１３４，１３４’を構成する誘電体層が３層で形成された場合を説明したが、これに限定されない。例えば、誘電体ミラー層１３４，１３４’は、２層の誘電体層で構成されるか、または４層以上の誘電体層で構成されうる。
【００７０】
本発明は、図面に示された一実施形態を参照して説明されたが、これは、例示的なものに過ぎず、当業者ならば、これから多様な変形及び均等な他の実施形態が可能であるということが分かるであろう。したがって、本発明の真の保護範囲は、特許請求の範囲によって決定されねばならない。
【産業上の利用可能性】
【００７１】
本発明は、表示装置関連の技術分野に好適に適用可能である。
【符号の説明】
【００７２】
１        電子機器、
１０      ハウジング、
２０      表示パネルアセンブリ、
１１０    ウィンドウカバー、
１２０    表示パネル、
１３０，１３０’    不透明層、
１３１    接着層、
１３２    フィルム、
１３３    モールディング層、
１３４，１３４’    誘電体ミラー層、
１３５    光吸収層、
２１０    第１基板、
２２０    表示素子、
２３０    素子／配線層、
２４０    有機発光素子、
２５０    第２基板、
２６０    光学フィルム、
３４１，３４１’    第１誘電体層、
３４２，３４２’    第２誘電体層、
３４３，３４３’    第３誘電体層。
【図１】
2014056227.tif 000003
【図２】
2014056227.tif 000004
【図３】
2014056227.tif 000005
【図４】
2014056227.tif 000006
【図５】
2014056227.tif 000007
【図６】
2014056227.tif 000008
【図７】
2014056227.tif 000009